(57)【要約】【課題】  蓋の着脱時に有害物質を吸引する空気の流れが乱されて周囲に有害物質が流出するおそれが無く、且つ、少ない空気流量で効率的に円筒状容器内の有害物質の流出を防止することができる環状排気装置を提供し、また、当該環状排気装置に専用される容器載置台を提供する。【解決手段】  環状フード３の内周面３Ａで円筒状容器Ｖの上面開口部Ｖａを包囲し、前記内周面３Ａに開口された環状の吸気スリット３Ｃから空気を放射状に吸引して、円筒状容器Ｖの蓋Ｖｄを開ける際や、蓋Ｖｄを外してある時に、円筒状容器Ｖ内の有害物質が外部へ流出することを防止する。円筒状容器Ｖは、容器載置台３４に載せて環状フード３の下方に搬入し、操作ペダル４６で可動台３７を上昇させて、上面開口部Ｖａを環状フード３内に位置させる。【選択図】  図１４
2014234964.tif 000002
【特許請求の範囲】
【請求項１】
蓋が装着される円筒状容器の上面開口部を包囲する環状フードと、
前記環状フードの外周面の後側部分から後方に連続し、後端部に空気浄化装置と排気ホースを介して連結される排気口が設けられた、箱状の合流チェンバと、
前記環状フードと合流チェンバを搭載して所望の位置へ移動自在な車輪付きフレームを備え、
前記環状フードの内周面は、蓋が装着された円筒状容器の上面開口部を下方から出し入れ可能で且つ当該開口部に対する上方からの蓋の着脱が可能な必要最小限度の内径を有する、中心軸線が垂直な円筒面で構成されているとともに、全周に亘って開口された環状の吸気スリットを有し、
前記環状フードと合流チェンバの内部には、左右対称に配置された複数の垂直な隔壁板によって、互いに独立した複数の空気流路が形成され、
前記環状フード内では、それぞれの空気流路の前端は、これらの空気流路の数で吸気スリットをその周方向に等分割する流路幅に拡がって、左右対称に当該吸気スリットに開口し、
前記合流チェンバ内では、これらの空気流路は、環状フード内で後方寄りの位置で吸気スリットに開口するものから順に中央寄りになるように左右対称に配置され、且つ、排気口の手前で合流して当該排気口に連通しているとともに、各空気流路後端近傍の流路幅が、全ての空気流路を通過する空気流量が略均等になるように、中央寄りのものから両外側に向けて順に広く形成されていることを特徴とする環状排気装置。
【請求項２】
合流チェンバの上に配置され、前面に円筒状容器の蓋を出し入れ可能な開口部を有し、内側の底部に当該蓋の下面を可及的に小さな接触面積で水平に支持する線状ないしナイフエッジ状の支持部材が配置されているとともに、合流チェンバの排気口に連通する連結ダクトを介して内部の空気が吸引排除されるようにした箱状の蓋収納部を備えたことを特徴とする請求項１記載の環状排気装置。
【請求項３】
車輪付きフレームは、下面にキャスタ車輪を有する下部フレームと、その上方に配置され、当該下部フレームに対して昇降自在に支持された上部フレームから構成され、上部フレームは、下部フレームに設けられた、操作ペダルで足踏み操作される昇降機構によって、環状フードの下面が、床面等の載置面に置かれた円筒状容器の上面開口部より上方に退避する上限位置と、前記上面開口部を環状フードの内側に侵入させて、当該上面開口部周囲を吸引スリットに近接させる下限位置との間で、上部フレームの高さを選択的に切り換えられるようにしたことを特徴とする請求項１又は２に記載の環状排気装置。
【請求項４】
請求項１又は請求項２に記載の環状排気装置専用の容器載置台であって、
所望の位置へ移動自在な車輪付き基台と、
前記基台に昇降自在に設けられた可動台と、
前記可動台上に、垂直軸線回りに回転自在に支持された、円筒状容器を載せる回転トレイを備え、
前記基台に設けられた、操作ペダルで足踏み操作される昇降機構により、回転トレイ上に置かれた円筒状容器の上面開口部が、環状排気装置の環状フードの下面より下方に退避する下限位置と、当該上面開口部が、環状フードの内側に侵入して吸引スリットに近接する上限位置との間で、可動台の高さを選択的に切り換えられるようにしたことを特徴とする容器載置台。
【発明の詳細な説明】
【技術分野】
【０００１】
本発明は、 ホルマリン等の人体に有害な物質が収納された円筒状容器の蓋を開閉する場合や、病理解剖等で摘出した臓器を当該容器に収容する場合などにおいて、容器内の有害物質が周囲に流出・拡散することを防止するための環状排気装置に関し、また、当該装置に専用される容器載置台に関する。
【背景技術】
【０００２】
従来、病理解剖を行う際には、解剖台の近くにホルマリン液が入った大型バケツサイズの蓋付きの円筒状容器を置き、解剖時に摘出した献体各部位の臓器を、当該容器の中のホルマリン液に浸漬してホルマリン固定している。
【０００３】
また、病理解剖で摘出した臓器の病理検査に行う際は、ホルマリン固定された臓器を収納してある容器から臓器を取り出して、ホルマリンを水洗除去するとともに、容器内のホルマリン廃液を中和剤で処理するか、もしくは、産業廃棄物として処理している。
【０００４】
病理解剖や病理検査においては、他にも、ホルマリン等の有害物質を容器に小分けする作業や、容器の蓋の密閉作業、容器内の有害物質の処理作業等があり、このような有害物質を取り扱う作業においては、従来より、有害物質の室内への流出を防ぐために、様々な排気装置や空気浄化装置が提案されている。
【０００５】
例えば、特許文献１に提案されている装置は、容器全体が収納できる囲い式のフードを設置し、平板状のプルフードの吸い込み面で作業テーブル面が構成されており、前記作業テーブル面の上方に対向させて設けられたプッシュフードからテーブル面に向けて吹き出す空気流が作業テーブル面から吸い込まれるように構成されている。
【０００６】
また、特許文献２に提案されている装置は、テーブル面から一様に空気を吸引するととともに、前記テーブル面の上方に水平方向のエアカーテンを生成し、テーブル面に置かれた容器から発生する有害物質の室内への流出を防ぐようにしている。
【先行技術文献】
【特許文献】
【０００７】
【特許文献１】特許第４５５１９８４号公報
【特許文献２】特許第５２０７５６３号公報
【発明の概要】
【発明が解決しようとする課題】
【０００８】
しかしながら、前述したような、有害物質を発生する容器全体を装置内のテーブル面に置いて作業を行うように設計されている従来装置は、シャーレ等の小型容器用に設計されており、病理解剖で摘出した臓器を収納する、大型の円筒状容器に使用することができなかった。
【０００９】
そこで、従来では、病理解剖において、このような円筒状容器に臓器を収納する際や、病理検査において、当該円筒状容器から臓器を取り出す際には、その都度、蓋の開け閉めを行っているが、密閉性を高めるために、蓋は容器開口部に固く嵌入される構造であるため、開閉に手間がかかる問題があった。
【００１０】
また、容器の蓋を開く際には、容器内の蓋の内側に充満したホルマリンを含んだ空気が、蓋の開放動作に伴って生じる誘導気流によって上方に放出され、また、蓋を閉める際には、蓋の下面に押されて容器内の空気の圧力が高まり、当該容器の開口部上縁と蓋周縁との隙間から、容器内のホルマリンを含んだ空気が水平方向に放射状に放出されるため、健康に有害なホルマリンが室外に多量に流出してしまう問題があった。
【００１１】
しかしながら、このような容器に対応できるように、排気装置を大型化すると、その排気量が増大するため、有害物質を含んだ排気を浄化して屋外排気するための空気浄化装置の容量も増やす必要があり、空調設備費が嵩むとともに、省エネルギー対策に逆行する問題があった。
【００１２】
また、大型の排気装置では、設置場所を移動することが困難であるため、容器内容物の出し入れを、常時同じ場所で行えない場合には、使用場所毎に排気装置を設置する必要があり、設備コストが嵩むとともに設置スペースが占有されるため、有効に作業スペースが使えないという問題があった。
【００１３】
そこで、本発明は、前述したような従来技術における問題を解消し、蓋の着脱時に有害物質を吸引する空気の流れが乱されて周囲に有害物質が流出するおそれが無く、且つ、少ない空気流量で効率的に円筒状容器内の有害物質の流出を防止することができる環状排気装置を提供することを目的とし、また、当該環状排気装置に専用される容器載置台を提供することを目的とする。
【課題を解決するための手段】
【００１４】
前記目的のため、本発明の環状排気装置は、蓋が装着される円筒状容器の上面開口部を包囲する環状フードと、前記環状フードの外周面の後側部分から後方に連続し、後端部に空気浄化装置と排気ホースを介して連結される排気口が設けられた、箱状の合流チェンバと、前記環状フードと合流チェンバを搭載して所望の位置へ移動自在な車輪付きフレームを備えている。
【００１５】
前記環状フードの内周面は、蓋が装着された円筒状容器の上面開口部を下方から出し入れ可能で且つ当該開口部に対する上方からの蓋の着脱が可能な必要最小限度の内径を有する、中心軸線が垂直な円筒面で構成されているとともに、全周に亘って開口された環状の吸気スリットを有している。
【００１６】
前記環状フードと合流チェンバの内部には、左右対称に配置された複数の垂直な隔壁板によって、互いに独立した複数の空気流路が形成され、 前記環状フード内では、それぞれの空気流路の前端は、これらの空気流路の数で吸気スリットをその周方向に等分割する流路幅に拡がって、左右対称に当該吸気スリットに開口している。
【００１７】
そして、前記合流チェンバ内では、これらの空気流路は、環状フード内で後方寄りの位置で吸気スリットに開口するものから順に中央寄りになるように左右対称に配置され、且つ、排気口の手前で合流して当該排気口に連通しているとともに、各空気流路後端近傍の流路幅が、全ての空気流路を通過する空気流量が略均等になるように、中央寄りのものから両外側に向けて順に広く形成されていることを特徴としている。
【００１８】
前記環状排気装置においては、合流チェンバの上に配置され、前面に円筒状容器の蓋を出し入れ可能な開口部を有し、内側の底部に当該蓋の下面を可及的に小さな接触面積で水平に支持する線状ないしナイフエッジ状の支持部材が配置されているとともに、合流チェンバの排気口に連通する連結ダクトを介して内部の空気が吸引排除されるようにした箱状の蓋収納部を備えていることが望ましい。
【００１９】
また、前記環状排気装置においては、車輪付きフレームは、下面にキャスタ車輪を有する下部フレームと、その上方に配置され、当該下部フレームに対して昇降自在に支持された上部フレームから構成され、上部フレームは、下部フレームに設けられた、操作ペダルで足踏み操作される昇降機構によって、環状フードの下面が、床面等の載置面に置かれた円筒状容器の上面開口部より上方に退避する上限位置と、前記上面開口部を環状フードの内側に侵入させて、当該上面開口部周囲を吸引スリットに近接させる下限位置との間で、上部フレームの高さを選択的に切り換えられるようにしてあることも望ましい。
【００２０】
また、本発明の容器載置台は、前記発明の環状排気装置が、環状フードの昇降機構を有していない場合に用いられるものであって、所望の位置へ移動自在な車輪付き基台と、前記基台に昇降自在に設けられた可動台と、前記可動台上に、垂直軸線回りに回転自在に支持された、円筒状容器を載せる回転トレイを備え、前記基台に設けられた、操作ペダルで足踏み操作される昇降機構により、回転トレイ上に置かれた円筒状容器の上面開口部が、環状排気装置の環状フードの下面より下方に退避する下限位置と、当該上面開口部が、環状フードの内側に侵入して吸引スリットに近接する上限位置との間で、可動台の高さを選択的に切り換えられるようにしたものである。
【発明の効果】
【００２１】
請求項１に記載された発明に係る環状排気装置によれば、円筒状容器の開口部を包囲する環状フードの内周面全周に亘って開口された、環状の吸気スリットから空気を放射状に吸引するため、少ない空気流量で効果的に容器開口部からの有害物質の周囲への流出・拡散を防止することができる。
【００２２】
また、環状フード内では、それぞれの空気流路の前端は、当該空気流路の数で、吸気スリットをその周方向に等分割する流路幅となって、左右対称に当該吸気スリットに開口し、且つ、環状フードの最も後方寄りの位置で吸気スリットに開口するものから、最も前方寄りの位置で当該吸気スリットに開口するものまで順番に、合流チェンバ内の最も中央寄りの空気流路から左右外側の空気流路のそれぞれと連通させ、合流チェンバ内では、全ての空気流路を通過する空気流量が略均等になるように、各流路幅の比率を異ならせてあるため、環状の吸気スリットから吸引される空気の流速を全周に亘って均一化することができる。
【００２３】
また、円筒状容器の蓋を閉じる際に、当該容器の上面開口部と蓋の隙間から放射状に噴き出す有害物質を含んだ空気は、環状フードの吸気スリットに吸い込まれる空気と流れの向きが略一致しているため、蓋の動きで吸気スリットに吸い込まれる空気流が乱されて有害物質が外部に漏れ出すおそれは無い。
【００２４】
請求項２に記載された発明に係る環状排気装置によれば、前述した請求項１の発明の効果に加え、円筒状容器から環状フードの上方へ手でつかんで取り外した蓋を直ちに内側に空気吸引されている蓋収納部の中に収納できるため、蓋の下面に付着しているホルマリン等の有害物質が周囲に拡散することを防止できる。
【００２５】
また、蓋収納部内では、その内側底部に配置された線状ないしナイフエッジ状の支持部材によって、蓋の下面が可及的に小さな接触面積で水平に支持されて、蓋の下方に空気流が通過できる隙間が確保されるため、蓋の下面に付着している有害物質は、合流チェンバの排気口に連通する連結ダクトを介して吸引される空気流で効果的に除去されるので、蓋収納部から蓋を取り出す際に、蓋から有害物質が飛散するおそれは無い。
【００２６】
また、請求項３に記載された発明に係る環状排気装置によれば、操作ペダルの足踏み操作で環状フードの下面が床面等の載置面に置かれた円筒状容器の上面開口部より上方に退避する上限位置と、当該円筒状容器の上面開口部が環状フードの内側に侵入して、吸引スリットに近接する下限位置との間で、上部フレームの高さを選択的に切り換えられるようにしているため、装置へ円筒状容器をセッティングしたり当該装置から取り出す際や、容器開口部に堅固に嵌入されている蓋を容器側方から開蓋補助具を使用して、開蓋する前に予め嵌合を緩めておく作業を容易に行うことができる。
【００２７】
また、請求項４に記載された発明に係る容器載置台によれば、操作ペダルの足踏み操作で、回転トレイ上に置かれた円筒状容器の上面開口部が、環状排気装置の環状フードの下面より下方に退避する下限位置と、当該円筒状容器の上面開口部が環状フードの内側に侵入して吸引スリットに近接する上限位置との間で、選択的に切り換えられるようにしているため、環状排気装置が、請求項３に記載されたもののように、環状フードの昇降機構を備えていない場合においても、環状フード下方への円筒状容器のセッティングや当該環状フードからの取り出し作業を安全且つ容易に行うことができる。
【００２８】
また、回転トレイにより円筒状容器の向きを容易に回転することができるため、容器開口部に堅固に嵌入されている蓋を容器側方から開蓋補助具を使用して開蓋する前に予め嵌合を緩めておく作業を行う作業を容易に行うことができる。
【図面の簡単な説明】
【００２９】
【図１】本発明に係る環状排気装置の１実施形態を示す斜視図である。
【図２】本発明に係る環状排気装置の１実施形態における、主要部分の内部構造を示す縦断面図である。
【図３】本発明に係る環状排気装置に使用する蓋付容器の１例を示す斜視図である。
【図４】環状フードと合流チェンバの内部構造を示す水平断面図である。
【図５】昇降機構の詳細構造を示す平面図である。
【図６】昇降ロッドが下限位置にあるときの昇降機構の縦断面図である。
【図７】昇降ロッドが上限位置に上昇したときの昇降機構の縦断面図である。
【図８】蓋収納部の水平断面図である。
【図９】蓋収納部内に配置される支持部材を斜め下方から見た斜視図である。
【図１０】環状フードを上方へ退避させたときの環状フードと容器開口部の位置関係を示す部分縦断面図である。
【図１１】環状フード下方で円筒状容器の蓋を緩める作業を説明する図である。
【図１２】円筒状容器の上面開口部に装着された蓋を環状フード内に侵入させた状態における、環状フードの部分縦断面図である。
【図１３】環状フード内で円筒状容器から蓋を上方に取り外した時の空気の流れを示す環状フードの部分縦断面図である。
【図１４】本発明に係る環状排気装置の別の実施形態における、主要部分の内部構造を示す縦断面図である。
【図１５】容器載置台の内部構造を示す縦断面図である。
【図１６】容器載置台の内部構造を示す平面図である。
【図１７】容器載置台の内部構造を示す分解斜視図である。
【発明を実施するための形態】
【００３０】
以下、本発明の実施形態について、図面に基づいて説明する。図１は、本発明に係る環状排気装置の１実施形態を示す斜視図、図２は、その主要部分の内部構造を示す縦断面図であって、これらの図に示す環状排気装置１は、床面を所望の位置へ移動可能な車輪付きのフレーム２に搭載された環状フード３と、その後側部分から後方に連続する箱状の合流チェンバ４とを有しており、この合流チェンバ４の後端部は、屈曲及び伸縮が自在な排気ホース５を介して空気浄化装置６と連結されている。
【００３１】
環状フード３は、環状排気装置１の主要構成部分であって、図２に示すように、その内周面３Ａがホルマリン液が入った円筒状容器Ｖの上面開口部Ｖａを包囲し、当該内周面３Ａに開口する環状の吸気スリット３Ｃから吸引される空気によって、円筒状容器Ｖの上面開口部Ｖａから発散するホルマリンを捕捉して空気浄化装置６へ回収する役割を有している。
【００３２】
空気浄化装置６は、ブロワとフィルタを内蔵しており、そのブロワで前記環状フード３の吸気スリット３Ｃから吸引した空気をフィルタに通過させ、吸引空気中に含まれているホルマリンを分離・除去し、清浄化された空気のみを室内に排気する。
【００３３】
また、ここで用いている円筒状容器Ｖは樹脂製のものであって、図３に示すように、その外周面には複数の鍔状の補強フランジＶｂが形成されて、運搬用の持ち手Ｖｃが取り付けられており、中に入れたホルマリン液が外部に漏れ出さないように、その上面開口部Ｖａが専用の樹脂製の蓋Ｖｄで密閉される構造になっている。
なお、環状排気装置１を利用可能な円筒状容器Ｖは、厳密に円筒形でなくてもよく、例えば、下端から上面開口部Ｖａに向けて直径が若干拡がっているバケツ状のものでもよい。
【００３４】
環状フード３の内周面３Ａは、中心軸線が垂直な円筒面で構成されている。また、前記内周面３Ａは、その中心軸線が外周面３Ｂの中心軸線より前方に偏って配置されており、円筒状容器Ｖａに蓋Ｖｄを装着した状態で、下方から出し入れ可能で、且つ、上方から手を差し込んで、蓋Ｖｄを取り外すことが可能な必要最小限の内径を有している。
【００３５】
図４は、環状フード３と合流チェンバ４の内部構造を示す水平断面図であって、同図に示すように、これらの内部には、左右対称に配置された複数の垂直な隔壁板７によって、互いに独立した６つの空気流路８ａ、８ｂ、９ａ、９ｂ、１０ａ、１０ｂが形成されている。
【００３６】
環状フード３内では、それぞれの空気流路８ａ、８ｂ、９ａ、９ｂ、１０ａ、１０ｂの前端は、吸気スリット３Ｃをその周方向に６等分する流路幅に拡がって、左右対称に当該吸気スリット３Ｃに開口している。
【００３７】
一方、合流チェンバ４内では、これらの空気流路８ａ、８ｂ、９ａ、９ｂ、１０ａ、１０ｂは、環状フード３内で後方寄りの位置で吸気スリット３Ｃに開口するものから順に、中央寄りになるように左右対称に配置されており、排気ホース５が接続されている排気口４Ａの手前で合流している。
【００３８】
また、空気流路８ａ、８ｂ、９ａ、９ｂ、１０ａ、１０ｂの後端近傍の流路幅は、これら全ての空気流路を通過する空気流量が略均等になるように、左右中央寄り空気流路８ａ、８ｂから両外側に向けて順に広くなるように形成されている。
【００３９】
このような構成により、環状の吸気スリット３Ｃから放射状に吸引される空気の流速分布をその全周に亘って均一化することができる。なお、本実施形態のものにおいては、空気流路を６つ設けているが、これに限定するものではなく、その数は必要に応じて増減してよい。
【００４０】
図１及び図２に示すように、フレーム２は、下面にキャスタ車輪１１が前後左右４箇所取り付けられている下部フレーム２Ａと、その上方で前記環状フード３と合流チェンバ４を支持している上部フレーム２Ｂから構成されている。なお、図示は省略しているが、これらのキャスタ車輪１１のうち、前側（環状フード３側）の２つは、ロック機構を有していて、床面に対してフレーム２の位置を固定できるようになっている。
【００４１】
下部フレーム２Ａの上面には、その前後左右４箇所に中空円筒状のガイド柱１２が立設されている。また、上部フレーム２Ｂの下面には、前記それぞれのガイド柱１２と対向する位置に、ガイドロッド１３が垂設されている。
【００４２】
これらのガイドロッド１３はそれぞれ、対向するガイド柱１２の中にスライド自在に挿入されていて、それぞれのガイド柱１２とガイドロッド１３によって、上部フレーム２Ｂは、下部フレーム２Ａに対して昇降自在に案内されている。
【００４３】
上部フレーム２Ｂとこれに搭載されている環状フード３や合流チェンバ４の重量は、下部フレーム２Ａに搭載された昇降機構１４で上下動される、左右一対の昇降ロッド１５によって支持されている。
【００４４】
前記昇降機構１４は、足踏み式の操作ペダル１６を有しており、この操作ペダル１６を足踏み操作することによって、昇降ロッド１５が上下に変位し、これに伴って上部フレーム２Ｂが下部フレーム２Ａに対して昇降するようになっている。
【００４５】
なお、本実施形態のものにおいては、操作ペダル１６は、下部フレーム２Ａの左右両側にそれぞれ設けられていて、環状排気装置１の左右何れの側からでも操作できるようになっている。
【００４６】
図５は、昇降機構１４の詳細構造を示す平面図であって、同図に示すように、昇降機構１４は、下部フレーム２Ａの上面に設けられた一対の軸受１７で回転自在に支持されているペダル操作軸１８を有している。
【００４７】
前記ペダル操作軸１８の両端部は、昇降機構１４のケーシング１９の左右両側面から突出して、それぞれの端部に操作ペダル１６が左右対称に固定されている。また、このペダル操作軸１８の中央部には、平歯車２０が固定されている。
【００４８】
この平歯車２０は、ペダル操作軸１８と平行でこれより高い位置に、一対の軸受２１で回転自在に支持されたカム軸２２に固定された、平歯車２３と噛み合っている。また、このカム軸２２の両端部近傍にはそれぞれ、同形状の外周面をカム面とした一対のカム２４が固定されている。
【００４９】
これらのカム２４は、カム軸２２に対して向きを揃えて固定されていて、図６に示すように、これらの上面にはそれぞれ、前述した昇降ロッド１５の下端に取り付けられているカムフォロワ２５が当接されている。
【００５０】
なお、それぞれの昇降ロッド１５は、対応するカムフォロワ２５の上方に近接した位置で、昇降機構１４のケーシング１９の内側に配置されているガイド部材２６によって、上下方向にスライド自在に案内支持されている。
【００５１】
図６に示すように、これらのカム２４が倒伏している位置では、昇降ロッド１５は下限位置まで下がっており、この状態では、図２に示すように、上部フレーム２Ｂは下限位置まで下がっている。
【００５２】
ここで、操作ペダル１６を足で踏んでペダル操作軸１８を、図６で反時計回りに回動させると、その回動は平歯車２０と平歯車２３を介してカム軸２２に伝達され、これに固定されているカム２４を図７に示す位置まで時計回りに回動させる。
【００５３】
そうすると、カム２４に当接しているカムフォロワ２５が昇降ロッド１５を伴って上昇し、昇降ロッド１５の上端に支持されている上部フレーム２Ｂは上限位置へ上昇する。なお、カム２４の周面輪郭の一部には、平坦部２４Ａが形成されていて、図７のように、カムフォロワ２５を上限位置まで押し上げた時点で、カムフォロワ２５の下面はこの平坦部２４Ａ上に乗り上げる。そのため、操作ペダル１６から足を離しても、昇降ロッド１５の荷重でカム２４が反時計回りに逆転してしまうことはない。
【００５４】
図１及び図２に示すように、昇降ロッド１５には、その途中位置に、パイプ状部材１５Ａで構成されている長さ調整部が設けられている。昇降ロッド１５は、このパイプ状部材１５Ａの内部で上下に２つの部分に分割されていて、その下方部分の上端部はパイプ状部材１５Ａに固定されている。
【００５５】
一方、昇降ロッド１５の上方部分の下端部は、パイプ状部材１５Ａに対して伸縮自在に嵌挿されており、前記パイプ状部材１５の側面に螺合されている、ねじ部を有する固定ハンドル１５Ｂを締め付けることによって、所望の位置で固定できるようになっている。
【００５６】
本実施形態のものにおいては、昇降ロッド１５にこのような長さ調整部を設けているため、上面開口部Ｖａの高さが異なる複数種類の円筒状容器Ｖに適合するように、環状フード３を載せた上部フレーム２Ｂの高さを調整することができる。
【００５７】
また、環状排気装置１の合流チェンバ４の上には、前述した図３に示す蓋Ｖｄを収納するための蓋収納部２７が設けられている。前記蓋収納部２７は、その前面に、蓋Ｖｄを出し入れするための開口部２７Ａを有している。
【００５８】
図２に示すように、蓋収納部２７の内側には、蓋Ｖｄを載置するための支持部材２８が配置されている。この支持部材２８は、図８に示すように、平面視略Ｕ字形に屈曲された金属線材で形成されていて、蓋収納部２７の前方（開口部２７Ａ側）が開いた向きでその底部に取り付けられている。
【００５９】
図９に示すように、支持部材２８の両側の前端近傍位置の２箇所と、左右に連続している後端部中央位置の１箇所の合計３箇所にはそれぞれ、下向きに支持脚２８Ａが突設されている。
【００６０】
これらの支持脚２８Ａは、蓋収納部２７の内側底面に固定された筒状の受けピース２９内に着脱自在に嵌入して支持されており、蓋収納部２７内を清掃する際に、支持部材２８を取り外すことができる。
【００６１】
また、支持部材２８の後端部の連続した部分の左右両側にはそれぞれ、蓋収納部２７内に収納された蓋Ｖｄの外周に当接して、これを蓋収納部２７内の適正な位置に位置決めするための位置決めピン２８Ｂがそれぞれ上向きに突設されている。
【００６２】
蓋収納部２７内側の後部中央位置には、前述した合流チェンバ４内の後端部で排気口４Ａに連通する連結ダクト３０が開口していて、蓋収納部２７内の空気がこの連結ダクト３０を通して、前述した環状フード３の吸気スリット３Ｃから吸引される空気とともに、図１に示す空気浄化装置６に吸引されるようになっている。
【００６３】
また、本実施形態のものにおいては、連結ダクト３０の途中に、蓋収容部２７内から空気浄化装置６に吸気される空気流量を調整するための流量調整ダンパ３１が設けられている。
【００６４】
また、蓋収納部２７の開口部２７Ａの周囲には、透明な樹脂製のバッフル板３２が設けられている。このバッフル板３２は、環状フード３の上面付近の空気が開口部２７Ａに向けて吸い込まれるように誘導するためのものあって、開口部２７の上方と左右両側から前方に斜めに拡がった所定範囲を覆うように配置されている。
【００６５】
次に、前述したように構成されている環状排気装置１の使用方法について説明する。ここでは、病理解剖において、ホルマリン液を入れた円筒状容器Ｖに、献体から摘出した臓器を収納する場合を例にして説明する。
【００６６】
図１に示す環状排気装置１と空気浄化装置６は、予め解剖室内の病理解剖台のそばに移動させる。設置位置を決めたら、キャスタ車輪１１のロック機構をロックして動かないように固定する。
【００６７】
次に、操作ペダル１６を足踏み操作して、図７に示すように昇降ロッド１５を上げて、図１０に示すように、環状フード３を上限位置へ退避させ、その下方の床面上に、蓋Ｖｄを装着してあるホルマリン液の入った円筒状容器Ｖを位置させる。この際、円筒状容器Ｖは、環状フード３の内周面３Ａの中心位置に中心を合わせるようにして置く。
【００６８】
次に、図１１に示すように、環状フード３の前方から蓋Ｖｄ周囲の下面と、その下にある円筒状容器Ｖの鍔状の補強フランジＶｂとの間に開蓋補助具Ｔを差し込んで、蓋Ｖｄの嵌合状態を緩める。この際、開蓋補助具Ｔは、円筒状容器Ｖの向きを変えて周方向の複数箇所で使用し、円筒状容器Ｖに対して蓋Ｖｄが傾かないように均等に緩むようにする。
【００６９】
なお、本実施形態のものにおいては、環状フード３の内周面３Ａの中心軸線が外周面３Ｂの中心軸線より前方に偏って配置されているため、環状フード３の下方で開蓋補助具Ｔを用いて行う蓋Ｖｄを緩める作業を容易に行うことができる。
【００７０】
次いで、操作ペダル１６を足踏み操作して、図６に示すように昇降ロッド１５を下げて、図１２に示すように環状フード３を下限位置に移動させる。このとき、円筒状容器Ｖの蓋Ｖｄは、環状フード３の内周面３Ａによって包囲された状態になる。
【００７１】
この状態で、図１に示す空気浄化装置６を駆動すると、環状フード３の内周面３Ａに開口する吸気スリット３Ｃから放射状にその内側の空気が吸引が開始され、またこれと同時に、蓋収納部２７の開口部２７Ａから当該環状フード３の上面の空気が吸引が開始される。
【００７２】
次に、図１３に示すように、環状フード３の上方から手を差し込んで、円筒状容器Ｖを密閉している蓋Ｖｄを取り外す。この際、蓋Ｖｄは前述したように、あらかじめ図１１に示す開蓋補助具Ｔで嵌合状態を緩めてあるため、容易に手で取り外すことができる。
【００７３】
この際、蓋Ｖｄを取り外した円筒状容器Ｖの中のホルマリンを含んだ空気は、その上面開口部Ｖａから漏れ出すと、その上方で環状の吸気スリット３Ｃに向けて放射状に流れ込む空気流に捕捉されて直ちに環状フード３内に吸い込まれ、合流チェンバ４から排気ホース５を経由して空気浄化装置６に回収されるので、室内に漏れ出すことはない。
【００７４】
一方、取り外した蓋Ｖｄは、そのまま環状フード３上面の後方に配置されている蓋収納部２７内に入れて、図２に示すように、その中の支持部材２８の上に裏面を下にして載せる。
蓋収納部２７内では、連結ダクト３０を介して空気浄化装置６から吸気されているため、蓋Ｖｄの下面に残留しているホルマリンは、支持部材２８と蓋収納部２７内側の底面との隙間を通過する空気流によって除去されて、図１に示す空気浄化装置６に回収される。
【００７５】
また、空気浄化装置６の稼働中は、蓋収納部２７の開口部２７Ａの外側の空気が吸い込まれているが、当該開口部２７Ａの周囲に設けられているバッフル板３２よって、環状フード３の上面付近の空気が開口部２７Ａに吸い込まれるように誘導される。
【００７６】
そのため、環状フード３の内側から上方に蓋Ｖｄを取り出す際に、蓋Ｖｄは前記開口部２７Ａに吸い込まれる空気流に包囲されているため、蓋Ｖｄの下面に付着しているホルマリンが室内に発散することはない。
【００７７】
このようにして、空気浄化装置６を稼働させた状態で、献体の解剖で摘出した各部位の臓器を環状フード３の上方からホルマリン液が入った円筒状容器Ｖの中に順次収納していく。
【００７８】
解剖の作業が完了したら、蓋収納部２７から蓋Ｖｄを取り出して、環状フード３の上方から円筒状容器Ｖに装着して密閉する。その後、空気浄化装置６を停止させ、再び操作ペダル１６を足踏み操作して、環状フード３を上方へ退避させ、臓器を収納した円筒状容器Ｖを環状排気装置１から搬出する。
【００７９】
なお、ここでは、病理解剖の際に、ホルマリン液を入れた円筒状容器Ｖに、献体から摘出した臓器を収納する場合について説明したが、病理検査において、円筒状容器内に密閉されて収納されている臓器を取り出す際にも同様な手順で行うことができる。
【００８０】
また、前述した環状排気装置１においては、上部フレーム２Ｂを昇降させるための昇降機構１４に、図５乃至図７で説明したような、歯車機構とカム機構を組み合わせて昇降ロッド１５を上下動させる構造のものを用いているが、昇降機構は本実施形態のものに限定されるものではなく、電動モータや油圧シリンダ機構等を用いて構成したものを用いることも可能である。
【００８１】
また、昇降ロッド１５を介して昇降機構１４に作用する、環状フード３や合流チェンバ４等が搭載されている上部フレーム２Ｂの全体の荷重を軽減するために、ばねやバランスウェイトを使用した、荷重を補償する機構を組み込んで、上部フレームの重量の全部若しくは一部を前記補償機構で分担するようにしてもよい。
【００８２】
また、本実施形態のものにおいては、蓋収納部２７内の支持部材２８を平面視略Ｕ字形に屈曲された金属線材で形成したものを用いているが、これに限定するものではなく、支持部材は、蓋の下面を可及的に小さな接触面積で水平に支持可能なナイフエッジ状のものでもよい。
【００８３】
次に、図１４は、本発明に係る環状排気装置の別の実施形態における、主要部分の内部構造を示す縦断面図であって、同図に示す環状排気装置１’は、先に説明した環状排気装置１から昇降機構１４を省き、下部フレーム２Ａに対して上部フレーム２Ｂの高さを固定したものであって、図１４中、図２と同じ符号で示している部分は、前述の環状排気装置１と同一構造である。
【００８４】
図１４に示す環状排気装置１’においては、上部フレーム２Ａは、先に説明した実施形態の環状排気装置１における上限位置よりもさらに高い位置に設けられている。この実施形態のものにおいては、下部フレーム２Ａのそれぞれのガイド柱１２の上端部に、固定ハンドル３３のねじ部が螺合されており、ガイド柱１２に挿入されるガイドロッド１３を調整して固定ハンドル３３で締め付けることによって、上部フレーム２Ｂの高さを調整できるようになっている。
【００８５】
この環状排気装置１’を使用する場合には、円筒状容器Ｖは直接床面に置かずに、容器載置台３４の上に載置する。この容器載置台３４は、下面に４つのキャスタ車輪３５を有して床面を移動自在になっており、外周輪郭が円形に構成されている。なお、これらのキャスタ車輪３５にはロック機構が組み込まれている。
【００８６】
図１５は、容器載置台３４の内部構造を示す縦断面図、図１６は、その内部構造を示す平面図、図１７は、分解斜視図であって、これらの図に示すように、容器載置台３４は、前記キャスタ車輪３５が下面に取り付けられている円形の基台３６と、この基台３６に対して昇降自在に設けられた可動台３７と、可動台３７上に垂直軸線回りに回転自在に支持された、前記円筒状容器Ｖを載せる回転トレイ３８を備えている。
【００８７】
基台３６は、その周囲に円筒状の周壁部３６Ａを有しており、その外周面の４箇所には、それぞれ、可動台３７を昇降自在に案内するための凸状ガイド３９が固定されている。
一方、可動台３７は、前記周壁部３６Ａに上方から被嵌される蓋状に形成されていて、当該周壁部３６Ａの外径よりやや大きい内径を有する周壁部３７Ａを有し、その内周面には、図１６に示すように、前記４つの凸状ガイド３９とそれぞれ上下にスライド自在に係合する４つの凹状ガイド４０が固定されている。
【００８８】
また、可動台３７の上面には、前記回転トレイ３８の底部を受け入れるための、周壁部３７Ａと同心状の円形凹部３７Ｂが形成されていて、この円形凹部３７Ｂ内には、これと同心の円周状に等間隔で３箇所、ボールキャスタ４１が取り付けられている。
【００８９】
一方、回転トレイ３８は、図１５及び図１７に示すように、外周に鍔部３８Ａを有し、その内側に円筒状容器Ｖを載せる浅い円形凹部３８Ｂが前記鍔部３８Ａと同心状に形成されている。前記円形凹部３８Ｂの裏面は、鍔部３８Ａの下方に張り出しており、その裏面側の外径は、前記可動台３７の円形凹部３７Ｂの内径よりやや小さく形成されている。
【００９０】
また、回転トレイ３８の円形凹部３８Ｂには、その裏面側で可動台３７に設けられている前述した３つのボールキャスタ４１のボールが嵌入する環状受け部４２が前記円形凹部３８Ｂと同心状に形成されており、回転トレイ３８は、前記３つのボールキャスタ４１で案内支持されて、可動台３７に対して垂直軸線回りに自在に回転できるようになっている。
【００９１】
一方、基台３６の内部には、可動台３７を、上限位置と下限位置との間で当該基台３６に対して上下動させるための昇降機構４３が設けられている。前記昇降機構４３は、図１６に示すように、基台３６の底部に一対の軸受４４で回動自在に支持されているペダル操作軸４５を有している。
【００９２】
このペダル操作軸４５は、その一方の端部が周壁部３６Ａを貫通して外部に露出していて、この端部には足踏み操作される操作ペダル４６が固定されている。また、ペダル操作軸４５には、平歯車４７が固定されている。
【００９３】
前記平歯車４７は、基台３６の底部に一対の軸受４８で回動自在に支持された主カム軸４９に固定された、平歯車５０と噛み合っている。主カム軸４９は、ペダル操作軸４５と平行で且つこれより高い位置に配置されている。
【００９４】
また、主カム軸４９の両端部には、その外周面をカム面とした一対のカム５１が同じ向きに固定されている。また、主カム軸４９には、２つの同形の傘歯車５２Ａ、５２Ｂが同じ向きに固定されている。
【００９５】
これらの一方の傘歯車５２Ａは、基台３６の底部に一対の軸受５３で主カム軸４９と直角な向きで回動自在に支持されている、副カム軸５４の内側の端部に固定された傘歯車５５と噛み合っている。
【００９６】
これらの傘歯車５５と傘歯車５２Ａは、同じ歯数のものが用いられている。また、副カム軸５４の外側の端部には、主カム軸４９に固定されている一対のカム５１と同形の、カム５６が固定されている。
【００９７】
また、主カム軸４９に固定されている他方の傘歯車５２Ｂは、基台３６の底部に一対の軸受５６で主カム軸４９と直角な向きで回動自在に支持されている、副カム軸５７の内側の端部に固定された傘歯車５８と噛み合っている。
【００９８】
これらの傘歯車５８と傘歯車５２Ｂは、同じ歯数のものが用いられている。また、副カム軸５７は、主カム軸４９に対して副カム軸５４と反対側に配置されていて、その外側の端部には、主カム軸４９に固定されている一対のカム５１ならびに副カム軸５４に固定されているカム５６と同形のカム５９が固定されている。
【００９９】
主カム軸４９に固定されている一対のカム５１と、２つの副カム軸５４、５７にそれぞれ固定されているカム５６、５９は、ペダル操作軸４５の回動に連動して、全てが倒伏した向きと起立した向きの略９０度の角度の範囲で一斉に同期回動するように、各軸に取付角度を揃えて固定されている。
【０１００】
一方、図１５に示すように、可動台３７の裏面には、前記それぞれのカム５１、５６、５９の外周面に対向する位置にそれぞれカムフォロワ６０が固定されている。本実施形態のものにおいては、これらのカムフォロワ６０は、滑性と耐摩耗性に優れた樹脂で製作されている。
【０１０１】
全てのカム５１、５６、５９が倒伏している状態では、可動台３７は図１５に示すように、基台３６に対して下限位置まで下がっている。この状態で、操作ペダル４６を足踏み操作して、ペダル操作軸４５を同図で反時計回りに回動させると、その動きは主カム軸４９と２つの副カム軸５４、５７に伝達され、４つのカム５１、５６、５９は、一斉に略９０度回転して、可動台３７を同図に仮想線で示す上限位置まで押し上げる。
【０１０２】
ここでは、詳細な図示はしていないが、これらのカム５１、５６、５９の周面輪郭の一部には平坦部が形成されていて、それぞれのカムフォロワ６０を上限位置まで押し上げた時点で、各カムフォロワ６０はこれらの平坦部に乗り上げる。そのため、操作ペダル４６から足を離しても、可動台３７に作用している荷重でこれらのカム５１、５６、５９が逆転してしまうことはない。
【０１０３】
なお、可動台３７を上下動する昇降機構４３は、以上に説明したものに限定するものではなく、足踏み操作で動作する電動モータや油圧シリンダ機構等を用いることも可能である。また、昇降機構４３には、可動台３７に作用する荷重の一部を負担して、操作ペダル４６の操作力を軽減する荷重補償用のばねを組み込んでもよい。  
【０１０４】
次に、前述した容器載置台３４を用いて、図１４に示す環状排気装置１’の使用する方法について説明する。
環状排気装置１’は、先に説明した環状フード装置１と同様に、あらかじめ使用場所まで移動しておくとともに、図１５のように、可動台３７が下限位置に下がっている容器載置台３４の回転トレイ３８の上に、前述したホルマリン液を入れて蓋Ｖｄで密閉された円筒状容器Ｖを載せ、環状排気装置１’の環状フード３の下方に、操作ペダル４６を環状フード３の前側に向けた状態で移動させる。なお、図１４では、蓋Ｖｄは円筒状容器Ｖから既に外して、蓋収納部２７に収納した状態が示されている。
【０１０５】
そして、その位置で容器載置台３４が動かないように、これらのキャスタ車輪３５のロック機構を固定してから、先に図１１で説明した場合と同様にして、蓋Ｖｄの周縁部下面と、その下にある円筒状容器Ｖの鍔状の補強フランジＶｂとの間に蓋Ｖｄを緩める開蓋補助具Ｔを差し込んで蓋Ｖｄの嵌合状態を緩める。この際、前記開蓋補助具Ｔは、回転トレイ３８の上で円筒状容器Ｖの向きを回転させて、周方向の複数箇所で使用し、円筒状容器Ｖに対して蓋Ｖｄが傾かないように均等に緩める。
【０１０６】
次いで、容器載置台３４の操作ペダル４６を足踏み操作して、可動台３７を上限位置へ上昇させて、円筒状容器Ｖの上端部を環状フード３の内側に侵入させてから、空気浄化装置を稼働させ、環状フード３の吸気スリット３Ｃからの吸気を開始する。
【０１０７】
その後、先に説明した環状排気装置１と同様に蓋Ｖｄを取り外し、献体の解剖で摘出した各部位の臓器を環状フード３の上方からホルマリン液が入った円筒状容器Ｖの中に順次収納していく。
【０１０８】
解剖作業が完了し、摘出した臓器を収納した円筒状容器Ｖを蓋Ｖｄで密閉したら、吸気スリット３Ｃからの空気の吸引を停止し、容器載置台３４の操作ペダル４６を足踏み操作して可動台３７を下限位置まで下げて、円筒状容器Ｖを載せた容器載置台３４を環状フード３の下方から搬出する。
【０１０９】
なお、容器載置台３４は、上面開口部Ｖａの高さが異なる種々の円筒状容器Ｖに対応できるように、基台３６の底面とキャスタ車輪３５との間に高さ調整ボルト等の高さ調整手段を介在させて、床面からの回転トレイ３８の高さを調整できるようにしてもよい。
【０１１０】
また、前述した各実施形態のものにおいては、あらかじめ他の場所でホルマリン液を注入した円筒状容器Ｖを環状排気装置１、１’の設置場所へ運んで使用しているが、蓋Ｖｄを外してある空の円筒状容器Ｖを、図２又は図１４のように環状排気装置１、１’にセットし、空気浄化装置を稼働して吸気スリット３Ｃから吸気している状態で、当該円筒状容器Ｖ内に、ホルムアルデヒドと希釈水を環状フード３の上方から投入してその場でホルマリン液を製造することも可能である。
【０１１１】
この場合には、ホルマリン液の製造設備や排気設備が不要になるとともに、前記製造設備で製造されたホルマリン液を貯留した容器から、前記円筒状容器Ｖに移し換える作業や、ホルマリン液を入れて重くなった円筒状容器Ｖを環状排気装置１、１’の設置場所まで運搬する作業が不要となり、さらに、前述したような密閉されている円筒状容器Ｖの蓋Ｖｄを緩める作業が不要になる。
【産業上の利用可能性】
【０１１２】
本発明の環状排気装置及び容器載置台は、ホルマリン液等の人体に有害な物質が入った円筒状容器を使用する病理解剖や病理検査において、極めて効果的に利用可能である。また、食堂の厨房等において、生ごみを蓋付きのポリバケツ等の容器に投入する際の悪臭や小バエの発生等を防止するためにも利用することが可能である。
【符号の説明】
【０１１３】
１、１’環状排気装置
２      フレーム
２Ａ    下部フレーム
２Ｂ    上部フレーム
３      環状フード
３Ａ    内周面
３Ｂ    外周面
３Ｃ    吸気スリット
４      合流チェンバ
４Ａ    排気口
５      排気ホース
６      空気浄化装置
７      隔壁板
８ａ、８ｂ、９ａ、９ｂ、１０ａ、１０ｂ  空気流路
１１    キャスタ車輪
１２    ガイド柱
１３    ガイドロッド
１４    昇降機構
１５    昇降ロッド
１５Ａ  パイプ状部材
１５Ｂ  固定ハンドル
１５Ａ  長さ調整部
１６    操作ペダル
１７    軸受
１８    ペダル操作軸
１９    ケーシング
２０    平歯車
２１    軸受
２２    カム軸
２３    平歯車
２４    カム
２４Ａ  平坦部４
２５    カムフォロワ
２６    ガイド部材
２７    蓋収納部
２７Ａ  開口部
２８    支持部材
２８Ａ  支持脚
２９    受けピース
３０    連結ダクト
３１    流量調整ダンパ
３２    バッフル板
３３    固定ハンドル
３４    容器載置台
３５    キャスタ車輪
３６    基台
３６Ａ  周壁部
３７    可動台
３７Ａ  周壁部
３７Ｂ  円形凹部
３８    回転トレイ
３８Ａ  鍔部
３８Ｂ  円形凹部
３９    凸状ガイド
４０    凹状ガイド
４１    ボールキャスタ
４２    環状受け部
４３    昇降機構
４４    軸受
４５    ペダル操作軸
４６    操作ペダル
４７    平歯車
４８    軸受
４９    主カム軸
５０    平歯車
５１    カム
５２Ａ、５２Ｂ  傘歯車
５３    軸受
５４    副カム軸
５５    傘歯車
５６    カム
５７    副カム軸
５８    傘歯車
５９    カム
６０    カムフォロワ
Ｖ      円筒状容器
Ｖａ    上面開口部
Ｖｂ    補強フランジ
Ｖｃ    持ち手
Ｖｄ    蓋
Ｔ      開蓋補助具
【図１】
2014234964.tif 000003
【図２】
2014234964.tif 000004
【図３】
2014234964.tif 000005
【図４】
2014234964.tif 000006
【図５】
2014234964.tif 000007
【図６】
2014234964.tif 000008
【図７】
2014234964.tif 000009
【図８】
2014234964.tif 000010
【図９】
2014234964.tif 000011
【図１０】
2014234964.tif 000012
【図１１】
2014234964.tif 000013
【図１２】
2014234964.tif 000014
【図１３】
2014234964.tif 000015
【図１４】
2014234964.tif 000016
【図１５】
2014234964.tif 000017
【図１６】
2014234964.tif 000018
【図１７】
2014234964.tif 000019